(57)【要約】      （修正有）【課題】マイクロチップの書き換え可能な領域に書き込まれた個体データを保護して、日常的な利便性を向上する個体データ管理システムの提供。【解決手段】個体データ管理システム１０は、外部からの無線通信によって書き換え可能な書き換え可能領域と書き換え不能な書き換え不能領域とを有し個体９に設けられるマイクロチップ１１と、マイクロチップ１１に記憶されたデータを受信し又はマイクロチップ１１の書き換え可能領域に書き換えのためのデータを発信するリーダライタ装置２０と、リーダライタ装置２０と接続されデータを入力する入力部３１と入力部３１により入力されたデータ及びリーダライタ装置２０が受信したデータを表示する表示部３４を有する端末装置３０とを備え、マイクロチップ１１の書き換え可能領域の書き換え時に書き換えパスワードが必要となる書き換え制限領域が書き換え可能領域の全部又は一部に形成される。【選択図】図２
2017070249.tif 000002
【特許請求の範囲】
【請求項１】
外部からの無線通信によって書き換え可能な書き換え可能領域と外部からの無線通信では書き換え不能な書き換え不能領域とを有し個体(9)に設けられるマイクロチップ(11)と、
無線通信によって前記マイクロチップ(11)に記憶されたデータを受信し又は前記マイクロチップ(11)の書き換え可能領域に書き換えのためのデータを発信するリーダライタ装置(20)と、
前記リーダライタ装置(20)と有線又は無線により接続されデータを入力する入力部(31)と前記入力部(31)により入力されたデータ及び前記リーダライタ装置(20)が受信したデータを表示する表示部(34)を有する端末装置(30)と、を備えた個体データ管理システムにおいて、
前記マイクロチップ(11)の書き換え可能領域の書き換え時に書き換えパスワードが必要となる書き換え制限領域が前記書き換え可能領域の全部又は一部に形成された
ことを特徴とする個体データ管理システム。
【請求項２】
マイクロチップ(11)に書き換えパスワードが記憶され、
端末装置(30)の入力部(31)から入力されたデータを前記書き換えパスワードと対比する書き換えパスワード識別手段(13g)が前記マイクロチップ(11)に設けられ、
前記入力部(31)から入力された入力データが前記書き換えパスワードと一致していると前記書き換えパスワード識別手段(13g)が判定したときに、前記マイクロチップ(11)は前記リーダライタ装置(20)から発信された書き換えのためのデータを書き換え制限領域に書き込むように構成された
ことを特徴とする請求項１記載の個体データ管理システム。
【請求項３】
端末装置(30)の入力部(31)から入力された書き換えのためのデータを前記端末装置(30)からリーダライタ装置(20)に伝達する伝達パスワードが前記リーダライタ装置(20)に記憶され、
前記入力部(31)から入力されたデータを前記伝達パスワードと対比する伝達パスワード識別手段(27c)が前記リーダライタ装置(20)に設けられ、
前記入力部(31)から入力された入力データが前記伝達パスワードと一致していると前記伝達パスワード識別手段(27c)が判定したときに、前記リーダライタ装置(20)は前記端末装置(30)の前記入力部(31)から入力された書き換えのためのデータを前記端末装置(30)から受信してマイクロチップ(11)に発信するように構成された
ことを特徴とする請求項２記載の個体データ管理システム。
【請求項４】
マイクロチップ(11)の書き換え不能領域に記憶された固有データから書き換えパスワードを設定するパスワード設定手段(35a)が端末装置(30)に設けられ、
初期設定で前記設定手段(35a)により設定された書き換えパスワードが前記マイクロチップ(11)に記憶され、
前記端末装置(30)の入力部(31)からの入力データが伝達パスワードと一致していると伝達パスワード識別手段(27c)が判定したときに、前記リーダライタ装置(20)は前記入力部(31)から入力された書き換えのためのデータとともに、前記パスワード設定手段(35a)により設定された書き換えパスワードを前記端末装置(30)から受信して前記マイクロチップ(11)に発信するように構成され、
前記マイクロチップ(11)の書き換えパスワード識別手段(13g)は、前記リーダライタ装置(20)から発信された書き換えパスワードを前記マイクロチップ(11)に記憶された前記書き換えパスワードと対比する
ことを特徴とする請求項３記載の個体データ管理システム。
【発明の詳細な説明】
【技術分野】
【０００１】
本発明は、個体にマイクロチップを設けておき、そのマイクロチップに当該個体に関するデータを記憶させることによりその個体を管理する個体データ管理システムに関するものである。
【背景技術】
【０００２】
従来、ＲＦＩＤなどのマイクロチップを実験動物等に埋め込み、読取機（スキャナー）で読み取る実験動物等の個体データ管理システムが知られている。この個体データ管理システムは、マイクロチップの識別番号を読取機で読取る機能を備えており、この識別番号に基づいて、入力部を有する端末装置からデータベースにアクセスし、そのデータベースに蓄積された実験動物等における個体データを得るようにしているものである（例えば、特許文献１参照。）。
【０００３】
しかし、このような管理システムにおいては、マイクロチップの読み取り装置を個体データが蓄積されるデータベースに通信回線を通じて接続した状態でなければ、個体データを表示することができなかった。
【０００４】
即ち、従来の管理システムにおいてマイクロチップに記憶されるのは、マイクロチップごとに予め書き換え不可の状態で記憶される当該マイクロチップ固有のコードのみを記憶する一方、このコードに紐付けされている個体データの病歴や治療記録などの経時的追加データや実験動物の血統などの識別データをデータベースに記憶しておいて、実験動物などに関わるデータは、データベースにのみ記憶されていることが要因となっている。
【０００５】
すると、マイクロチップのデータを読み取り、その場で閲覧したとしてもマイクロチップの固有データとしての識別番号の閲覧しかできないことから、データベースにアクセスし得る端末装置がなければ、その個体データが必要であっても直ちにその個体データを得ることができ無い不具合があった。
【０００６】
また、その個体データはデータベースに順次蓄積されるものであるので、データベースに個体データを書き込んだ日時が古く、最新のデータがデータベースに蓄積されていないと、例え、その個体データを得たとしても、最新のデータではないという不具合も生じうる。
【０００７】
このような不具合を解消する為に、実験動物等に設けられるマイクロチップにおいて、書き換え可能な領域を設けることが提案されており、このような書き換え可能な領域に、日常的に最新のデータを書き込み、リーダライタにおいてそのデータを読み取り、表示するようにすることが提案されている（例えば、特許文献２参照。）。
【先行技術文献】
【特許文献】
【０００８】
【特許文献１】特開２００７−２２２１３８号公報
【特許文献２】特開２０１４−２７９２０号公報
【発明の概要】
【発明が解決しようとする課題】
【０００９】
しかし、実験動物等に設けられるマイクロチップに書き換え可能な領域を設けると、端末装置に接続されたリーダライタ装置を所有している限り、このような書き換え可能な領域に何人も自由にデータを読み取り又は書き込みすることが可能になり、マイクロチップに書き込まれた個体データの保護が困難になる不具合がある。
【００１０】
本発明の目的は、マイクロチップの書き換え可能な領域に書き込まれた個体データを保護して、日常的な利便性を向上し得る個体データ管理システムを提供することにある。
【課題を解決するための手段】
【００１１】
本発明は、外部からの無線通信によって書き換え可能な書き換え可能領域と外部からの無線通信では書き換え不能な書き換え不能領域とを有し個体に設けられるマイクロチップと、無線通信によってマイクロチップに記憶されたデータを受信し又はマイクロチップの書き換え可能領域に書き換えのためのデータを発信するリーダライタ装置と、リーダライタ装置と有線又は無線により接続されデータを入力する入力部と入力部により入力されたデータ及びリーダライタ装置が受信したデータを表示する表示部を有する端末装置と、を備えた個体データ管理システムの改良である。
【００１２】
その特徴ある構成は、マイクロチップの書き換え可能領域の書き換え時に書き換えパスワードが必要となる書き換え制限領域が書き換え可能領域の全部又は一部に形成されたところにある。
【００１３】
ここで、マイクロチップに書き換えパスワードが記憶される場合、端末装置の入力部から入力されたデータを書き換えパスワードと対比する書き換えパスワード識別手段がマイクロチップに設けられ、入力部から入力された入力データが書き換えパスワードと一致していると書き換えパスワード識別手段が判定したときに、マイクロチップはリーダライタ装置から発信された書き換えのためのデータを書き換え制限領域に書き込むように構成することが好ましい。
【００１４】
そして、端末装置の入力部から入力された書き換えのためのデータを端末装置からリーダライタ装置に伝達する伝達パスワードがリーダライタ装置に記憶され、入力部から入力されたデータを伝達パスワードと対比する伝達パスワード識別手段がリーダライタ装置に設けられ、入力部から入力された入力データが伝達パスワードと一致していると伝達パスワード識別手段が判定したときに、リーダライタ装置は端末装置の入力部から入力された書き換えのためのデータを端末装置から受信してマイクロチップに発信するように構成することもできる。
【００１５】
この場合、マイクロチップの書き換え不能領域に記憶された固有データから書き換えパスワードを設定するパスワード設定手段が端末装置に設けられ、初期設定で設定手段により設定された書き換えパスワードがマイクロチップに記憶され、端末装置の入力部からの入力データが伝達パスワードと一致していると伝達パスワード識別手段が判定したときに、リーダライタ装置は入力部から入力された書き換えのためのデータとともに、パスワード設定手段により設定された書き換えパスワードを端末装置から受信してマイクロチップに発信するように構成され、マイクロチップの書き換えパスワード識別手段は、リーダライタ装置から発信された書き換えパスワードをマイクロチップに記憶された書き換えパスワードと対比することが好ましい。
【発明の効果】
【００１６】
本発明の個体データ管理システムでは、マイクロチップの書き換え可能領域に書き換え時に書き換えパスワードが必要となる書き換え制限領域を形成したので、その書き換えパスワードを知らない第三者による書き換え制限領域に書き込まれた個体データの書き換えは防止されることになる。これにより、マイクロチップの書き換え可能な領域に書き込まれた個体データは保護され、日常的な利便性を向上させることが可能となるのである。
【図面の簡単な説明】
【００１７】
【図１】本発明実施形態の個体データ管理システムの構成図である。
【図２】その個体データ管理システムの外観図である。
【図３】その個体データ管理システムの初期登録の流れを示す図である。
【図４】そのマイクロチップからデータを得るまでの流れを示す図である。
【図５】そのマイクロチップに記憶されたデータを書き換えるまでの流れを示す図である。
【発明を実施するための形態】
【００１８】
次に、本発明を実施するための最良の形態を図面に基づいて説明する。
【００１９】
図１及び図２に示す様に、このデータ管理システム１０は、実験動物等の個体９（図２）に設けられるマイクロチップ１１を備える。この実施の形態におけるマイクロチップ１１は、注射器型の図示しない埋設機を用いて、実験動物等の個体９に埋め込まれるものとする。図２では、実験動物である犬の首筋にマイクロチップ１１が埋設される場合を示す。
【００２０】
マイクロチップ１１は、コイルから成るチップアンテナ１２（図１）と、そのチップアンテナ１２に接続されたＩＣチップ１３（図１）をガラスのカプセルに封止した形状を成し、その外観は、実験動物等の個体９（図２）に埋設可能なように、外径が約１．５ｍｍ程度の断面が円形の棒状をなして形成される。
【００２１】
図１に示すように、ＩＣチップ１３は電源回路１３ａと無線周波数（ＲＦ）回路１３ｂと変調回路１３ｃと復調回路１３ｄとチップ制御回路１３ｅとこれに接続されたメモリ１３ｆを有する。電源回路１３ａはコンデンサ（図示せず）を内蔵し、このコンデンサはチップアンテナ１２とともに共振回路を形成する。このコンデンサにはチップアンテナ１２が特定の共振周波数の電波を受信したときにその電磁誘導で生じる電力が充電される。電源回路１３ａはこの電力を整流し安定化してチップ制御回路１３ｅに供給し、ＩＣチップ１３を活性化する。
【００２２】
メモリ１３ｆはＲＯＭ（read only memory）、ＲＡＭ（random-access memory）及びＥＥＰＲＯＭ（electrically erasable programmable read only memory）を含み、チップ制御回路１３ｅの制御の下で後述するリーダライタ装置２０からの電波のデータ通信による読出しコマンドに応じて記憶されたデータの読出しを行うとともに、リーダライタ装置２０からの書込みコマンドに応じてデータの書込みが行われるように構成される。
【００２３】
そして、このメモリ１３ｆに記憶する記憶領域の構成は、当該マイクロチップ１１の固有の固有データを記憶して、外部からの無線通信では書き換えることができない書き換え不能領域と、外部からの無線通信によって書き換え可能な書き換え可能領域とを備えるものとする。
【００２４】
具体的に、マイクロチップ１１におけるチップアンテナ１２は、後述するリーダライタ装置２０の磁界発生部としての送受信アンテナ２２によって発生させられた磁界によって誘導起電力を発生し、この誘導起電力によって起動したチップ制御回路１３ｅは、メモリ１３ｆの書き換え不能領域に記憶された固有データや、書き換え可能領域に記憶された個体データを読み出し、外部のリーダライタ装置２０に対してこれらのデータを送信するように構成される。
【００２５】
一方、後述するリーダライタ装置２０の制御部２７の制御の基で、そのリーダライタ装置２０が発した個体データが新規なデータである場合には、その個体データを新規な個体データとしてメモリ１３ｆにおける書き換え可能領域に記憶するように構成される。
【００２６】
そして、本発明の特徴ある構成は、その書き換え時に書き換えパスワードが必要となる書き換え制限領域が書き換え可能領域の全部又は一部に形成されたところにある。この実施の形態では、書き換え可能領域の全部が書き換え制限領域である場合を示す。
【００２７】
ここで、書き換え不能領域に書き込まれる固有データは、マイクロチップ１１の製造時にそのマイクロチップ１１に別々に設けられる固有な１５桁の識別番号が挙げられる。
【００２８】
また、書き換え可能領域に書き込まれる個体データは、例えば、動物種、系統名、雌雄区分、投薬名、ペット名、生年月日、狂犬病予防接種履歴、ワクチン投与データ、緊急連絡先等が挙げられる。
【００２９】
そして、マイクロチップ１１の書き換え可能領域の書き換え時に必要な書き換えパスワードは、マイクロチップ１１に読み出し不能な状態で記憶され、後述する端末装置３０の入力部３１から入力されたデータをこの書き換えパスワードと対比する書き換えパスワード識別手段１３ｇがマイクロチップ１１に設けられる。
【００３０】
この書き換えパスワード識別手段１３ｇは、チップ制御回路１３ｅにおけるプログラムの一つであって、後述する端末装置３０の入力部３１から入力された入力データが書き換えパスワードと一致しているとこの書き換えパスワード識別手段１３ｇが判定したときに、マイクロチップ１１は後述するリーダライタ装置２０から発信された書き換えのためのデータを、メモリ１３ｆにおける書き換え可能領域に書き込むように構成される。
【００３１】
従って、図１に示すように、本発明のデータ管理システム１０は、無線通信によってマイクロチップ１１に記憶されたデータを受信し、又はマイクロチップ１１のメモリ１３ｆにおける書き換え可能領域に、書き換えのためのデータを発信するリーダライタ装置２０を備える。
【００３２】
このリーダライタ装置２０は、後述する端末装置３０と有線で着脱自在に接続するためのインタフェース２１と、磁界を発生させ、その磁界によってマイクロチップ１１のチップアンテナ１２に自己誘導起電力を発生させて、その電力により発信するマイクロチップ１１からのデータを受信する送受信アンテナ２２と、バッテリを内蔵する電源回路２３と、無線周波数（ＲＦ）回路２４、と変調回路２５と、復調回路２６と、インタフェース２１を介して後述する端末装置３０に接続された制御部２７と、この制御部２７に接続されたメモリ２７ａを有する。
【００３３】
メモリ２７ａは、マイクロチップ１１のものと同様であって、ＲＯＭ、ＲＡＭ及びＥＥＰＲＯＭを含み、制御部２７は、マイクロチップ１１のメモリ１３ｆに記憶されたデータの読出しを行うとともに、その読み出したデータをメモリ２７ａに記憶し、そのデータを端末装置３０からの要請により端末装置３０に伝達する様に構成される。
【００３４】
このメモリ２７ａには、接続パスワードや伝達パスワードが記憶され、リーダライタ装置２０には、このメモリ２７ａに記憶されたデータの全て又は一部を表示する表示部２８と、表示部２８にデータを表示する操作を行ったり、送受信アンテナ２２に電力を供給して磁界を発生させる操作を行ったり、この送受信アンテナ２２を通じてマイクロチップ１１のデータを受信する操作を行うための操作スイッチ２９を更に備える。
【００３５】
この実施の形態では、図２に示す様に、リーダライタ装置２０の表示部２８には液晶表示パネルが採用され、この液晶パネルからなる表示部２８の近傍には、リーダライタ装置２０の動作状況を外部に通知するためのステータスランプ２８ｂと、同装置２０の状態を外部に通知するモードランプ２８ａを配置している場合を示す。これらランプは制御部２７（図１）によって制御されるものとする。
【００３６】
また、ランプ２８ａ，２８ｂから表示部２８を挟んだ反対側には、ＵＰ／ＤＯＷＮボタン２９ａが配置され、このボタン２９ａは、表示部２８に表示されるデータを縦方向にスクロールするように操作可能となっている。また、表示部２８の下には、電源ボタン２９ｅとモードボタン２９ｄが配置されており、この操作スイッチ２９に属するモードボタン２９ｄの操作によってマイクロチップ１１からの個体データのリーダライタ装置２０側への読み込み操作モードや、マイクロチップ１１の記憶部への個体データの書き込み操作を行うモードに切り替えることができるように構成される。
【００３７】
この読み込み操作モード又は書き込み操作モードのいずれのモードであるかは前述したモードランプ２８ａによって視覚的に確認することができるように構成され、このようにモードを切り替えた状態で、操作スイッチ２９に属するスタート／ストップボタン２９ｂを操作することにより、読み取り／書き込み処理の開始／中止を操作することが可能に構成される。
【００３８】
図１に戻って、このリーダライタ装置２０には、このリーダライタ装置２０に接続された後述する端末装置３０の入力部３１から入力されたデータを、メモリ２７ａに記憶された接続パスワードや伝達パスワードと対比する接続パスワード識別手段２７ｂ及び伝達パスワード識別手段２７ｃが設けられる。
【００３９】
この接続及び伝達パスワード識別手段２７ｂ，２７ｃは、それぞれ制御部２７に記憶されたプログラムであって、このリーダライタ装置２０は、端末装置３０の入力部３１から入力された入力データが、これらのパスワードと一致していると判定したときに、端末装置３０との接続を許容し、マイクロチップ１１のメモリ１３ｆにおける書き換え制限領域に書き換えのためのデータをその端末装置３０から受信してマイクロチップ１１に発信するように構成される。
【００４０】
図１及び図２に示す様に、本発明の個体データ管理システム１０は、上述したリーダライタ装置２０と有線又は無線により接続され、データを入力する入力部３１と、その入力部３１により入力されたデータ及びリーダライタ装置２０が受信したデータを表示する表示部３４を有する端末装置３０を備える。
【００４１】
入力部３１は、認証のためのパスワードを入力したり、個体データの新規登録や更新登録画面にデータを入力するためのものであり、端末装置３０は、上述した入力部３１の他に、電源回路３２や、その入力部３１から入力されたデータを記憶するメモリ３３や、そのデータをリーダライタ装置２０に伝達したり、リーダライタ装置２０が受信してそのメモリ３３に記憶されたデータを読み取って表示部３４に表示させるような端末制御部３５を備える。図２に示す表示部３４は比較的大型の液晶ディスプレイであって、端末制御部３５（図１）は別の箱体３６の内部に設けられる場合を示す。
【００４２】
図１に示すように、端末装置３０における端末制御部３５には、マイクロチップ１１のメモリ１３ｆにおける書き換え不能領域に記憶された固有データから書き換えパスワードを設定するパスワード設定手段３５ａが設けられる。そして、マイクロチップ１１の初期設定において、この設定手段３５ａにより設定された書き換えパスワードがマイクロチップ１１に記憶されるものとする。
【００４３】
そして、端末装置３０の入力部３１からの入力データが伝達パスワードと一致していると、リーダライタ装置２０における伝達パスワード識別手段２７ｃが判定したときに、前述したリーダライタ装置２０は入力部３１から入力された書き換えのためのデータとともに、端末装置３０におけるパスワード設定手段３５ａにより設定された書き換えパスワードを、この端末装置３０から受信してマイクロチップ１１に発信するように構成される。
【００４４】
この場合のマイクロチップ１１における書き換えパスワード識別手段１３ｇは、そのリーダライタ装置２０から発信された書き換えパスワードをマイクロチップ１１に記憶された書き換えパスワードと対比するように構成される。
【００４５】
次に、このように構成された個体データ管理システムの使用方法について説明する。
【００４６】
この個体データ管理システム１０を使用するためには、先ずマイクロチップ１１やリーダライタ装置２０の初期設定が必要とされる。具体的に、この初期設定では、マイクロチップ１１に書き換えパスワードを記憶させ、リーダライタ装置２０のメモリ２７ａに接続パスワードと伝達パスワードを記憶させることが必要とされる。
【００４７】
図３にその手順を示す。具体的に説明すると、先ず端末装置３０とリーダライタ装置２０を有線において接続し、双方の電源をオンにしてそれぞれの制御部２７，３５を起動させる。管理者は接続パスワードと伝達パスワードとして同一の又は異なる数字及び文字の組み合わせを任意に設定し、その組み合わせから成る接続パスワードと伝達パスワードを、端末装置３０における入力部３１からそれぞれ入力する（Ｓ０１，Ｓ０４）。その後、記憶させるために必要なスイッチをオンにすることにより（Ｓ０２，Ｓ０５）リーダライタ装置２０のメモリ２７ａに読み取り及び書き換え不能なデータとしてそれらを記憶させる（Ｓ０３，Ｓ０６）。
【００４８】
一方、書き換えパスワードにあっても任意の数字及び文字の組み合わせから成るものを設定しても良い。けれども、パスワード設定手段３５ａを端末装置３０に設けたこの実施の形態では、この初期設定で、その設定手段３５ａにより設定された書き換えパスワードがマイクロチップ１１に記憶される。
【００４９】
具体的に、マイクロチップ１１はその製造時に、そのマイクロチップ１１に別々に設けられる固有な１５桁の識別番号がメモリ１３ｆにおける書き換え不能領域に書き込まれる。リーダライタ装置２０は、その識別番号を読み取り（Ｓ０７）、端末装置３０におけるパスワード設定手段３５ａは、この識別番号を所定のアルゴリズムにおいて変換して、書き換えパスワードを得る（Ｓ０８）。このようにして得られた書き換えパスワードをリーダライタ装置２０はマイクロチップ１１に発信して、マイクロチップ１１ではそのような書き換えパスワードを書き換えも読み取りも不能な状態で記憶する（Ｓ０９）。
【００５０】
ここで、マイクロチップ１１のメモリ１３ｆにおける書き換え不能領域に書き込まれる１５桁の識別番号はマイクロチップ１１毎に付されるものであるので、同一のものが複数存在することはない。このため、一のマイクロチップ１１には単一の識別番号と成り、その識別番号を所定のアルゴリズムにおいて変換して得られた書き換えパスワードも常に単一のものなる。このため、端末装置３０におけるパスワード設定手段３５ａにより設定される書き換えパスワードは、識別番号と対を成して単一のものとなり、同一のものが複数存在することはない。
【００５１】
このように、書き換えパスワードが初期設定で記憶されたマイクロチップ１１を実験動物等の個体９に埋め込み、その後の管理を行うものとする。
【００５２】
次に、この個体データ管理システムによる日常のデータ管理について説明する。
【００５３】
図４に個体データの表示を行う手順を示す。即ち、先ず端末装置３０とリーダライタ装置２０を有線又は無線において接続し、双方の電源をオンにしてそれぞれの制御部２７，３５を起動させる。すると、端末装置３０における表示部３４には管理者の認証画面（図示せず）としてのログイン画面が表示される。この認証画面には、接続パスワードの入力項目が表示される（Ｓ１１）。
【００５４】
管理者は初期設定において設定した接続パスワードを端末装置３０における入力部３１から入力する（Ｓ１２）。すると、端末装置３０に有線で接続されたリーダライタ装置２０の接続パスワード識別手段２７ｂが、端末装置３０の入力部３１から入力された入力データとリーダライタ装置２０のメモリ２７ａに記憶された接続パスワードが一致しているか否かを判定し（Ｓ１３）、一致していると判定したときに、そのリーダライタ装置２０と端末装置３０との接続を許容する（Ｓ１４）。
【００５５】
そして、リーダライタ装置２０の操作スイッチ２９を操作して、マイクロチップ１１のメモリ１３ｆの書き換え不能領域に記憶された固有データや書き換え可能領域に記憶された個体データの読み取り処理を実行する（Ｓ１５）。
【００５６】
このように、リーダライタ装置２０がマイクロチップ１１のメモリ１３ｆに記憶されたデータを読み出した場合に、リーダライタ装置２０では、そのデータをメモリ２７ａに一旦保存し、端末装置３０からの個別の要求によりそのデータを端末装置３０に伝達させる。端末装置３０では、入力部３１からの入力により要求された個体データをその表示部３４に表示させ（Ｓ１６）、管理者にその内容を認知させることができる。
【００５７】
一方、この実施の形態では、マイクロチップ１１のメモリ１３ｆにおける書き換え可能領域の全体に、その書き換え時に書き換えパスワードが必要となる書き換え制限領域を形成したので、その書き換え制限領域にデータを記憶する場合、又は既に記憶されているデータを書き換える場合には書き換えパスワードが必要となる。
【００５８】
その書き換え制限領域に記憶するデータや、既に記憶されているデータを書き換える為のデータは、端末装置３０の入力部３１から入力することになるけれども、その端末装置３０とマイクロチップ１１の間にはリーダライタ装置２０が介在する。このため、この実施の形態では、端末装置３０の入力部３１から入力された書き換えのためのデータを端末装置３０からリーダライタ装置２０に伝達する伝達パスワードをリーダライタ装置２０に記憶し、リーダライタ装置２０に伝達パスワード識別手段２７ｃを設けた。
【００５９】
そこで、図５にマイクロチップにおける個体データを書き換える手順を示す。
【００６０】
先ず、管理者は端末装置３０の入力部３１から個体データの書き換えを希望する入力を行うと、端末装置３０における表示部３４には、その書き換えの内容を記載するデータの入力項目が表示される（Ｓ２１）。そこで、管理者は端末装置３０の入力部３１から、マイクロチップ１１の書き換え可能領域に記憶させるデータ又は既に記憶されているデータを書き換える為のデータを入力する（Ｓ２２）。
【００６１】
そして、個体データの入力が完了しその旨を入力部３１から入力すると、端末装置３０における表示部３４には、伝達パスワードの入力項目が表示される（Ｓ２３）。このため、管理者は端末装置３０の入力部３１から初期設定時に設定した伝達パスワードを入力する。このようにして、入力部３１から入力された個体データと伝達パスワードは端末装置３０のメモリ３３に一時的に記憶される。
【００６２】
その後、書き換えるために入力部３１から入力された個体データをマイクロチップ１１に向けて発信すべく、リーダライタ装置２０の操作スイッチ２９を操作すると、リーダライタ装置２０の制御部２７が端末装置３０のメモリ３３に記憶された伝達パスワードを読み取り、その伝達パスワード識別手段２７ｃが、端末装置３０のメモリ３３から読み取った伝達パスワードとリーダライタ装置２０のメモリ２７ａに初期設定において記憶された伝達パスワードが一致しているか否かを判定する。そして、両者が一致しているとその伝達パスワード識別手段２７ｃが判定したときに（Ｓ２４）、リーダライタ装置２０は端末装置３０の入力部３１から入力されてメモリ３３に記憶された書き換えのためのデータを端末装置３０から受信してマイクロチップ１１に発信することになる（Ｓ２７）。
【００６３】
一方、この実施の形態ではパスワード設定手段３５ａが端末装置３０に設けられているので、このパスワード設定手段３５ａは、リーダライタ装置２０が読み取ったマイクロチップ１１の書き換え不能領域に記憶された固有データを読み込み（Ｓ２５）、その固有データである識別番号から書き換えパスワードを設定する（Ｓ２６）。
【００６４】
このパスワード設定手段３５ａにより得られる書き換えパスワードは、マイクロチップに記憶された固有データより所定のアルゴリズムにより得られるものであるので、固有データが同一であると同一の書き換えパスワードとなる。このため、このパスワード設定手段３５ａにより得られる書き換えパスワードは、初期設定で得られた書き換えパスワードと同一なものとなる。
【００６５】
そして、この書き換えパスワードは、端末装置３０の入力部３１から入力された書き換えのためのデータとともに、リーダライタ装置２０が端末装置３０から受信してマイクロチップ１１に発信することになる（Ｓ２７）。
【００６６】
一方、リーダライタ装置２０に近づけられたマイクロチップ１１では、リーダライタ装置２０の磁界発生部としての送受信アンテナ２２によって発生させられた磁界によってチップアンテナ１２に誘導起電力が発生し、この誘導起電力によってチップ制御回路１３ｅが起動する。
【００６７】
そして、そのチップ制御回路１３ｅにおける書き換えパスワード識別手段１３ｇは、リーダライタ装置２０から発信された書き換えパスワードをマイクロチップ１１のメモリ１３ｆに記憶された書き換えパスワードと対比し、両者が一致していると判定すると（Ｓ２８）、チップ制御回路１３ｅはリーダライタ装置２０から発信された書き換えのためのデータを、メモリ１３ｆにおける書き換え制限領域に書き込むことになる（Ｓ２９）。
【００６８】
このように、本発明の個体データ管理システム１０では、マイクロチップ１１の書き換え可能領域に、その書き換え時に書き換えパスワードが必要となる書き換え制限領域を形成したので、その書き換えパスワードを知らない第三者による書き換え制限領域に書き込まれた個体データの書き換えは防止されることになる。これにより、マイクロチップ１１の書き換え可能な領域に書き込まれた個体データは保護され、日常的な利便性を向上させることが可能となる。
【００６９】
そして、端末装置３０の入力部から入力３１された書き換えのためのデータを端末装置３０からリーダライタ装置２０に伝達する伝達パスワードをリーダライタ装置２０に記憶し、その伝達パスワード識別手段２７ｃをリーダライタ装置２０に設け、伝達パスワードが一致しているときに、リーダライタ装置２０は端末装置３０の入力部３１から入力された書き換えのためのデータを端末装置３０から受信してマイクロチップ１１に発信するようにしたので、書き換えパスワードのみならず、この伝達パスワードを知らない第三者による書き換え制限領域に書き込まれた個体データの書き換えは防止されることになる。これにより、マイクロチップ１１の書き換え可能な領域に書き込まれた個体データはより確実に保護されることになる。
【００７０】
一方、マイクロチップ１１の書き換え不能領域に記憶された固有データから書き換えパスワードを設定するパスワード設定手段３５ａを端末装置３０に設けたので、伝達パスワードが一致していると伝達パスワード識別手段２７ｃが判定したときに、リーダライタ装置２０は入力部３１から入力された書き換えのためのデータとともに、パスワード設定手段３５ａにより設定された書き換えパスワードを端末装置３０から受信してマイクロチップ１１に発信することになる。
【００７１】
従って、このようなパスワード設定手段３５ａを設けることにより、書き換えパスワードの他に伝達パスワードを必要とする場合であっても、端末装置３０の入力部３１から入力するのは伝達パスワードのみで足りることに成り、日常的な利便性を向上させることができる。
【００７２】
また、このようなパスワード設定手段３５ａを端末装置３０に設けることにより、パスワード設定手段３５ａを設けていない端末装置からの書き換え制限領域に書き込まれた個体データの書き換えは禁止されることになる。
【００７３】
この場合、リーダライタ装置２０は、書き換えのためのデータとともに、パスワード設定手段３５ａにより設定された書き換えパスワードを端末装置３０から受信してマイクロチップ１１に発信するものである必要がある。このため、書き換えパスワードをマイクロチップ１１に発信しないリーダライタ装置では、マイクロチップ１１の書き換え制限領域に書き込まれた個体データの書き換えは禁止されることになる。
【００７４】
よって、マイクロチップ１１の書き換え制限領域に書き込まれた個体データの書き換えを行い得る端末装置３０やリーダライタ装置２０が特定され、このような端末装置３０やリーダライタ装置２０を有していない第三者による個体データが書き換えられることは確実に防止される。これにより、マイクロチップ１１の書き換え可能な領域に書き込まれた個体データを確実に保護でき、日常的な利便性を更に向上させることが可能となるのである。
【００７５】
なお、上述した実施の形態では、パスワード設定手段３５ａを端末装置３０に設け、それにより得られた書き換えパスワードをマイクロチップ１１に記憶させる場合を説明した。けれども、パスワード設定手段３５ａを端末装置３０に設けることなく、書き換えパスワードを管理者が任意に設定して、そのように任意に設定された書き換えパスワードをマイクロチップ１１に記憶させても良い。
【００７６】
この場合の書き換えパスワードは、端末装置３０の入力部３１から入力することにより行われ、リーダライタ装置２０は、書き換えのためのデータとともに、そのように入力部３１から入力された書き換えパスワードを端末装置３０から受信してマイクロチップ１１に発信することになる。このようにしても、書き換えパスワードを知らない第三者による書き換え制限領域に書き込まれた個体データの書き換えは禁止されることになる。
【００７７】
また、上述した実施の形態では、書き換え可能領域の全部が書き換え制限領域である場合を説明した。けれども、書き換え時に書き換えパスワードが必要となる書き換え制限領域を、書き換え可能領域の一部に形成しても良い。
【符号の説明】
【００７８】
９  実験動物（個体）
１０  個体データ管理システム
１１  マイクロチップ
１３ｇ  書き換えパスワード識別手段
２０  リーダライタ装置
２７ｃ  伝達パスワード識別手段
３０  端末装置
３１  入力部
３４  表示部
３５ａ  パスワード設定手段
【図１】
2017070249.tif 000003
【図２】
2017070249.tif 000004
【図３】
2017070249.tif 000005
【図４】
2017070249.tif 000006
【図５】
2017070249.tif 000007